(57)【要約】マルチメディアブロードキャスト／マルチキャスト（ＭＢＭＳ）サービスを提供するシステムにおいて、端末（ＵＥ）が少なくとも１本以上の好みの周波数を通じて少なくとも１つ以上のサービスを受信したいときに効率よく周波数移動を行うための方法を提供する。上記方法は、サービスの好みの周波数に関する情報をメッセージに載せて上記ＵＥに送るステップと、上記ＵＥにより選択された通知されたサービスまたは少なくとも１つの他のサービスを示す要請情報を含む応答メッセージを受信するステップと、上記ＵＥが上記要請情報に基づいて上記好みの周波数へのハードハンドオーバーを行うかどうかを決定するステップと、を含み、上記サービスは、上記メッセージにより選択され、上記目メッセージは、ＵＥの参加した上記サービスの開示を知らせる。
2008512038.tif 000002
【特許請求の範囲】
【請求項１】
マルチメディアブロードキャスト／マルチキャスト（ＭＢＭＳ）サービスを提供するシステムにおいて、端末（ＵＥ）が少なくとも１つ以上の好みの周波数を通じて少なくとも１つ以上のサービスを受信したいときにおける周波数選択を行う方法であって、
ＵＥの参加したサービスの開始を通知する専用メッセージに前記サービスの好みの周波数に関する情報を載せて前記ＵＥに送るステップと、
前記ＵＥが前記サービスを受信するかどうかを示す確認情報を含む応答メッセージを受信するステップと、
前記確認情報に基づいて、前記ＵＥが前記好みの周波数へのハードハンドオーバーを行うかどうかを決定するステップと、を含むことを特徴とする前記方法。
【請求項２】
前記選択されたサービスは、前記ＵＥにおいて予め設定された高いプライオリティに基づいて選択された少なくとも１つのサービスであることを特徴とする請求項１に記載の前記方法。
【請求項３】
前記ＵＥが前記好みの周波数へのハードハンドオーバーを行うかどうかを決定するステップを決定するステップは、
前記要請情報が前記通知されたサービスを示す場合には、前記ＵＥが前記好みの周波数へのハードハンドオーバーを行うように決定し、
前記要請情報が前記ＵＥにより選択された少なくとも１つの他のサービスを示す場合には、前記ＵＥが現在セルに留まるように決定することを特徴とする請求項１に記載の前記方法。
【請求項４】
前記好みの周波数に関する情報は、前記通知されたサービスを示すサービスＩＤと、セッションを示すセッションＩＤ、及び前記好みの周波数を示す周波数／セル情報とサービスオフセット情報と、を含むことを特徴とする請求項１に記載の前記方法。
【請求項５】
前記要請情報は、前記通知されたサービスが選択されたかどうかを示す有効性指示情報と、前記少なくとも１つの他のサービスを示す他の有効サービス一覧と、を含むことを特徴とする請求項１に記載の前記方法。
【請求項６】
前記サービスは前記メッセージにより指示され、前記メッセージは前記ＵＥの参加した前記サービスの開始を示すことを特徴とする請求項１に記載の前記方法。
【請求項７】
マルチメディアブロードキャスト／マルチキャストサービスシステムにおいて、周波数階層収束（ＦＬＣ）を用いる端末（ＵＥ）がハードハンドオーバーを行う方法であって、
無線網制御器（ＲＮＣ）から特定のサービスに関するセッションが開始している旨を知らせる専用通知メッセージを受信するステップと、
前記専用通知メッセージが前記ＵＥの参加したサービスのセッションを示す場合、前記専用通知メッセージにより通知されたサービスを受信するかどうかを決定するステップと、
前記通知されたサービスを受信するかどうかを示す有効性指示情報を含む専用通知応答メッセージを前記ＲＮＣに送るステップと、を含むことを特徴とする前記方法。
【請求項８】
前記ＵＥが前記通知されたサービスを受信するかどうかを決定するステップは、前記専用通知メッセージの受信時に、前記ＵＥが現在の周波数及びセルにおいて少なくとも１つの他のサービスを受信していない場合、前記有効性指示情報を、前記ＵＥが前記通知されたサービスを受信する旨を示す値に設定することを特徴とする請求項７に記載の前記方法。
【請求項９】
前記前記ＵＥが前記通知されたサービスを受信するかどうかを決定するステップは、
前記専用通知メッセージの受信時に、前記ＵＥが現在の周波数及びセルにおいて少なくとも１つの他のサービスを受信している場合、前記通知されたサービス及び前記少なくとも１つの他のサービスに対してサービス選択過程を行うステップと、
前記サービス選択過程の結果、前記通知されたサービスが選択されている場合、前記有効性指示情報を、前記ＵＥが前記通知されたサービスを受信する旨を示す値に設定するステップと、
前記サービス選択過程の結果、前記通知されたサービスが選択されていない場合、前記有効性指示情報を、前記ＵＥが前記通知されたサービスを受信しない旨を示す値に設定するステップと、を含むことを特徴とする請求項７に記載の前記方法。
【請求項１０】
前記専用通知応答メッセージは、前記通知されたサービスを示すサービスＩＤを含むことを特徴とする請求項７に記載の前記方法。
【請求項１１】
前記専用通知応答メッセージは、前記通知されたサービスを除き、受信したい他のサービスのサービスＩＤをさらに含むことを特徴とする請求項１０に記載の前記方法。
【請求項１２】
前記サービス選択過程では、前記ＵＥにおいて予め設定されたプライオリティに基づいて最も高いプライオリティを有するサービスを選択することを特徴とする請求項７に記載の前記方法。
【請求項１３】
前記専用通知メッセージが前記ＵＥの参加したサービスのセッションを示していない場合、前記ＵＥが前記通知されたサービスを受信しない旨を示す値に設定した前記有効性指示情報を含む専用通知応答メッセージを前記ＲＮＣに送るステップをさらに含むことを特徴とする請求項７に記載の前記方法。
【請求項１４】
マルチメディアブロードキャスト／マルチキャストサービスを提供するシステムにおいて、端末（ＵＥ）が少なくとも１本以上の好みの周波数を通じて少なくとも１つ以上のサービスを受信したいときに効率よく周波数選択を行う方法であって、
専用通知メッセージにサービスの好みの周波数に関する情報を載せて前記ＵＥに送るステップと、
前記好みの周波数へのハードハンドオーバーに関する指示情報を含む物理チャンネル再構成メッセージを前記ＵＥに送るステップと、
前記ＵＥが前記好みの周波数へのハードハンドオーバーを行うかどうかを示す情報を含む物理チャンネル再構成応答メッセージを受信するステップと、を含むことを特徴とする前記方法。
【請求項１５】
前記好みの周波数に関する情報は、前記専用通知メッセージにより通知されたサービスを示すサービスＩＤと、セッションを示すセッションＩＤ、及び前記好みの周波数を示す周波数／セル情報とサービスオフセット情報と、を含むことを特徴とする請求項１４に記載の前記方法。
【請求項１６】
前記物理チャンネル再構成メッセージは、前記専用通知メッセージにより通知されたサービスを示すサービスＩＤと、セッションを示すセッションＩＤ、及び前記好みの周波数への移動を示す情報と、を含むことを特徴とする請求項１４に記載の前記方法。
【請求項１７】
前記物理チャンネル再構成応答メッセージは、前記ＵＥが前記ハードハンドオーバーを行うかどうかを示すサービス適用可能または適用不可情報と、前記ＵＥがプライオリティに基づいて選択した少なくとも１つのサービスに関する有効サービス一覧と、を含むことを特徴とする請求項１４に記載の前記方法。
【請求項１８】
マルチメディアブロードキャスト／マルチキャスト（ＭＢＭＳ）サービスシステムにおいて、周波数階層収束（ＦＬＣ）を用いる端末（ＵＥ）がハードハンドオーバーを行う方法であって、
無線網制御器（ＲＮＣ）から特定のサービスに関するセッションが開始している旨を知らせる情報を受信し、前記サービスに関する好みの周波数への選択を示す情報を含む物理チャンネル再構成メッセージを受信するステップと、
前記物理チャンネル再構成メッセージが前記ＵＥの参加したサービスのセッションを示す場合、前記物理チャンネル再構成メッセージにより通知されたサービスを受信するかどうかを決定するステップと、
前記決定の結果に基づいて、前記ＵＥが好みの周波数へのハードハンドオーバーを行うかどうかを示すサービス適用可能または不可情報を含む物理チャンネル再構成応答メッセージを前記ＲＮＣに送るステップと、を含むことを特徴とする前記方法。
【請求項１９】
前記ＵＥが前記通知されたサービスを受信するかどうかを決定するステップは、前記物理チャンネル再構成メッセージの受信時に、前記ＵＥが現在の周波数及びセルにおいて他のサービスを受信していない場合、前記サービス適用可能または不可情報を、前記ＵＥが前記通知されたサービスを受信する旨を示す値に設定することを特徴とする請求項１８に記載の前記方法。
【請求項２０】
前記ＵＥが前記通知されたサービスを受信するかどうかを決定するステップは、前記物理チャンネル再構成メッセージの受信時に、前記ＵＥが現在の周波数及びセルにおいて他のサービスを受信している場合、前記通知されたサービス及び前記他のサービスに対してサービス選択過程を行うステップと、
前記サービス選択過程の結果、前記通知されたサービスが選択されている場合、前記サービス適用可能または不可情報を、前記ＵＥが前記通知されたサービスを受信する旨を示す値に設定するステップと、
前記サービス選択過程の結果、前記通知されたサービスが選択されていない場合、前記サービス適用可能／不可情報を、前記ＵＥが前記通知されたサービスを受信しない旨を示す値に設定するステップを含むことを特徴とする請求項１８に記載の前記方法。
【請求項２１】
前記物理チャンネル再構成応答メッセージは、前記通知されたサービスを除き、プライオリティに基づいて選択された少なくとも１つの他のサービスのサービスＩＤを示す有効サービス一覧をさらに含むことを特徴とする請求項１８に記載の前記方法。
【請求項２２】
前記物理チャンネル再構成メッセージが前記ＵＥの参加したサービスのセッションを示していない場合、前記ＵＥが前記通知されたサービスを受信しない旨を示す値に設定したサービス適用可能または不可情報を含む物理チャンネル再構成応答メッセージを送るステップをさらに含むことを特徴とする請求項１８に記載の前記方法。
【請求項２３】
前記サービスは前記専用通知メッセージにより指示され、前記専用通知メッセージは前記ＵＥの参加した前記サービスの開始を示すことを特徴とする請求項１８に記載の前記方法。
【請求項２４】
マルチメディアブロードキャスト／マルチキャストサービス（ＭＢＭＳ）システムにおいて、周波数階層収束（ＦＬＣ）を用いる端末（ＵＥ）がハードハンドオーバーを行う装置であって、
専用通知メッセージにサービスの好みの周波数に関する情報を載せて前記ＵＥに送る無線網制御器（ＲＮＣ）と、
前記ＲＮＣから前記専用通知メッセージを受信し、前記専用通知メッセージに応答して予め定められたプライオリティに基づいて選択された前記専用通知メッセージにより通知されたサービスもしくは少なくとも１つの他のサービスを示す要請情報を含む専用通知応答メッセージを前記ＲＮＣに送る前記ＵＥと、を備え、
前記ＲＮＣは、前記要請情報に基づいて前記ＵＥが前記好みの周波数へのハードハンドオーバーを行うかどうかを決定することを特徴とする前記装置。
【請求項２５】
前記選択されたサービスは、前記ＵＥにおいて予め設定されたプライオリティに基づいて選択されたサービスであることを特徴とする請求項２４に記載の前記装置。
【請求項２６】
前記ＲＮＣは、
前記要請情報が前記通知されたサービスを示す場合には、前記ＵＥが前記好みの周波数へのハードハンドオーバーを行うように決定し、
前記要請情報が前記ＵＥにより選択された少なくとも１つの他のサービスを示す場合には、前記ＵＥが現在セルに留まるように決定することを特徴とする請求項２４に記載の前記装置。
【請求項２７】
前記好みの周波数情報は、前記通知されたサービスを示すサービスＩＤと、セッションを示すセッションＩＤ、及び前記好みの周波数を示す周波数／セル情報とサービスオフセット情報と、を含むことを特徴とする請求項２４に記載の前記装置。
【請求項２８】
前記要請情報は、前記通知されたサービスが選択されたかどうかを示す有効性指示情報と、少なくとも１つの他のサービスを示す他の有効サービス一覧と、を含むことを特徴とする請求項２４に記載の前記装置。
【請求項２９】
前記ＵＥは、前記専用通知メッセージの受信時に、前記ＵＥが現在の周波数及びセルにおいて少なくとも１つの他のサービスを受信していない場合、前記有効性指示情報を、前記ＵＥが前記通知されたサービスを受信する旨を示す値に設定することを特徴とする請求項２８に記載の前記装置。
【請求項３０】
前記ＵＥは、
前記専用通知メッセージの受信時に、前記ＵＥが現在の周波数及びセルにおいて少なくとも１つの他のサービスを受信している場合、前記通知されたサービス及び前記少なくとも１つの他のサービスに対してサービス選択過程を行い、
前記サービス選択過程の結果、前記通知されたサービスが選択されている場合、前記有効性指示情報を、前記ＵＥが前記通知されたサービスを受信する旨を示す値に設定し、
前記サービス選択過程の結果、前記通知されたサービスが選択されていない場合、前記有効性指示情報を、前記ＵＥが前記通知されたサービスを受信しない旨を示す値に設定することを特徴とする請求項２８に記載の前記装置。
【請求項３１】
前記ＵＥは、前記専用通知メッセージが前記ＵＥの参加したサービスのセッションを示していない場合、前記ＵＥが前記通知されたサービスを受信しない旨を示す値に設定された前記有効性指示情報を含む専用通知応答メッセージを前記ＲＮＣに送ることを特徴とする請求項２４に記載の前記装置。
【請求項３２】
前記サービスは前記専用通知メッセージにより指示され、前記専用通知メッセージは前記ＵＥの参加した前記サービスの開始を示すことを特徴とする請求項２４に記載の前記方法。
【発明の詳細な説明】
【技術分野】
【０００１】
本発明は、移動通信システムのマルチメディアブロードキャスト／マルチキャストサービス（Ｍｕｌｔｉｍｅｄｉａ  Ｂｒｏａｄｃａｓｔ／Ｍｕｌｔｉｃａｓｔ  Ｓｅｒｖｉｃｅ：以下、「ＭＢＭＳ」サービスと称する。）に係り、さらに詳しくは、専用チャンネルをもって周波数階層収束を用いる端末のハードハンドオーバー方法及び装置に関する。
【背景技術】
【０００２】
今日の通信技術の発達には目を見張るものがあり、これに伴い、広帯域符号分割多重接続（Ｃｏｄｅ  Ｄｉｖｉｓｉｏｎ  Ｍｕｌｔｉｐｌｅ  Ａｃｃｅｓｓ、以下、「ＣＤＭＡ」と称する。）方式を用いる移動通信システムにおいて提供するサービスは、従来の音声サービスだけでなく、大容量のデータを送るパケットサービス通信とマルチメディアサービスが伝送可能なマルチメディア放送／通信へと発展し続けている。このため、上記マルチメディア放送／通信を支援するために、１もしくは多数のマルチメディアデータソースから多数のユーザー端末（Ｕｓｅｒ  Ｅｑｕｉｐｍｅｎｔ、以下、「ＵＥ」と称する。）にサービスを提供するＭＢＭＳサービスが論議されている。
【０００３】
ここで、上記ＭＢＭＳサービスとは、無線ネットワークを介して同じマルチメディアデータを多数の受信者に送るサービスを通称する。このとき、多数の受信者に１本の無線チャンネルを共有させることで無線伝送資源を節約することができる。この種のＭＢＭＳサービスは、リアルタイム画像及び音声、静止画、文字などのマルチメディア伝送形式を支援するものであり、上記マルチメディア伝送タイプに応じて、音声データと画像データが同時に提供可能なサービスであって、大量の伝送資源を必要とする。ＭＢＭＳサービスの場合には、ユーザーが位置している多数のセルに同じデータを伝送しなければならないため、各セル内に位置しているユーザーの数に応じて一対一（Ｐｏｉｎｔ  ｔｏ  Ｐｏｉｎｔ：以下、「ＰｔＰ」と称する。）または一対多（Ｐｏｉｎｔ  ｔｏ  Ｍｕｌｔｉｐｌｅ：以下、「ＰｔＭ」と称する。）の接続が行われる。
【０００４】
近年のＭＢＭＳシステムにおいては、提供可能なＭＢＭＳサービスのそれぞれに対してより好ましい周波数（以下、「好みの周波数」と称する。）を割り当て、ＭＢＭＳサービスを用いるＵＥが、できる限り好みの周波数を通じて所望のＭＢＭＳサービスを受信できるＦＬＣ（Ｆｒｅｑｕｅｎｃｙ  Ｌａｙｅｒ  Ｃｏｎｖｅｒｇｅｎｃｅ）技術を支援している。すなわち、ＭＢＭＳのＦＬＣは、同じ地域において重なり合う全ての周波数を通じて単一のサービスを提供することなく、提供可能なサービス別に１本の周波数を通じてのみサービスを提供するためにＵＥをサービス別に好みの周波数帯域に移動させる方法である。
【０００５】
図１は、通常のＭＢＭＳのＦＬＣ動作を説明する図である。ここでは、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）とＧＰＲＳ（Ｇｅｎｅｒａｌ  Ｐａｃｋｅｔ  Ｒａｄｉｏ  Ｓｅｒｖｉｃｅｓ）に基づく第３世代非同期移動通信方式の標準である３ＧＰＰ（３ｒｄ  Ｇｅｎｅｒａｔｉｏｎ  Ｐｒｏｊｅｃｔ  Ｐａｒｔｎｅｒｓｈｉｐ）システムにおいて、異なる周波数、すなわち、周波数ｆ１、周波数ｆ２を用いるセルが地理的に重なり合っているようなセル構造を示している。それぞれ１本の周波数よりなる１セル、または連続するセルの層をレイヤーと称する。
【０００６】
上記図１中、参照番号１０１と１０２は、周波数ｆ１よりなるレイヤーを示し、参照番号１１１と１１２は、周波数ｆ２よりなるレイヤーを示す。ＦＬＣは、図１に示すように、同じ地域において重なり合っている周波数ｆ１、周波数ｆ２の全てのセルにおいて一サービスを提供することなく、提供可能なサービス別に１つの周波数を通じてのみサービスを提供するためにＵＥをサービス別にそれぞれ当該周波数帯域に移動させる。
【０００７】
ＵＥ１２１の参加したＭＢＭＳサービスのために割り当てられたレイヤーが周波数ｆ２であるとしたとき、同じ地域において重なり合っている周波数ｆ１（１０２）を用いるＵＥ１２１は、上記ＭＢＭＳサービスのセッションが開始されるとき及び上記セッションが進行する間に上記ＭＢＭＳサービスを受信するために、上記周波数ｆ２（１１２）を有するセルへ移動しなければならない。無線網制御器（Ｒａｄｉｏ  Ｎｅｔｗｏｒｋ  Ｃｏｎｔｒｏｌｌｅｒ：以下、「ＲＮＣ」と称する。）（図示せず）は、上記ＭＢＭＳサービスのセッションが開始されるとき及び上記セッションが進行する間に、上記周波数ｆ１（１０２）を用いるＵＥに対して上記周波数ｆ２（１１２）のセルへ移動するよう知らせる。
【０００８】
上記ＭＢＭＳサービスにおいて、上記周波数ｆ１を好みの周波数レイヤー（Ｐｒｅｆｅｒｒｅｄ  Ｆｒｅｑｕｅｎｃｙ  Ｌａｙｅｒ、以下、「ＰＬ」と称する。）とし、上記周波数ｆ２のセルを非優先周波数レイヤー（Ｎｏｎ  Ｐｒｅｆｅｒｒｅｄ  Ｆｒｅｑｕｅｎｃｙ  Ｌａｙｅｒ、以下、「ＮＰＬ」と称する。）とする。しかしながら、ＮＰＬであるとしても、必ずしも上記ＭＢＭＳサービスが提供不可であることを意味するわけではなく、無線資源管理（Ｒａｄｉｏ  Ｒｅｓｏｕｒｃｅ  Ｍａｎａｇｅｍｅｎｔ、以下、「ＲＲＭ」と称する。）によりＦＬＣ方法であるにも拘わらず、ＮＰＬに残されたＵＥのために上記ＮＰＬにおいても上記ＭＢＭＳサービスを提供することができる。
【０００９】
通常、ＭＢＭＳサービスは、同じレイヤーを有することになるが、地域によって異なるレイヤーを有する場合もある。例えば、一部の地域においては周波数ｆ２のレイヤーがＰＬとなるが、他の地域においては周波数ｆ１のレイヤーがＰＬになることもある。ＭＢＭＳサービスのＰＬは、システムオペレーターのセル構造ポリシーと現在使用中のセルの無線資源の状況に応じて決定される。しかしながら、通常、ＭＢＭＳサービスに対して割り当てられた周波数レイヤーを示すＦＬＣ構造は、１つのＭＢＭＳサービスのセッションが開始される時点から上記セッションが終わるまで適用される。
【００１０】
図２は、従来の技術によるＵＥのハードハンドオーバー過程を示すものである。ここでは、専用チャンネル（Ｄｅｄｉｃａｔｅｄ  Ｃｈａｎｎｅｌ：以下、「ＤＣＨ」と称する。）を通じてサービスを受信しているＣＥＬＬ＿ＤＣＨ  ＵＥを示している。参照番号２０１は、ＣＥＬＬ＿ＤＣＨ  ＵＥを示し、参照番号２０２は、上記ＵＥ２０１のサービング無線ネットワーク制御器（Ｓｅｒｖｉｎｇ  Ｒａｄｉｏ  Ｎｅｔｗｏｒｋ  Ｃｏｎｔｒｏｌｌｅｒ、以下、「ＳＲＮＣ」と称する。）を示す。
【００１１】
上記図２を参照すると、ステップＳ２１１において、ＵＥ２０１は、ダウンリンクに関する測定報告をアップリンクメッセージを用いてＳＲＮＣ２０２に測定報告を送る。上記ダウンリンク測定報告は、周波数間測定結果値を含み、周期的またはイベント発生的に行われる。上記ＳＲＮＣ２０２は、上記測定報告を受信し、ステップＳ２２１において、上記周波数間測定結果とセルの負荷に関する情報に基づいて上記ＵＥ２０１のハードハンドオーバーの遂行有無を決定する。もし、上記ステップＳ２２１において、上記ＳＲＮＣ２０２が上記ＵＥ２０１をハードハンドオーバーすることに決定すると、ステップＳ２３１において、上記ＳＲＮＣ２０２は、物理チャンネル再構成メッセージを通じて上記ＵＥ２０１にハードハンドオーバーすることを指示する。
【００１２】
図３は、従来の技術による、ＣＥＬＬ＿ＤＣＨ  ＵＥにＭＢＭＳ  ＦＬＣを適用する手続きを示す図である。参照番号３０１は、周波数ｆ１のセル、参照番号３０２は、周波数ｆ２のセルを示し、参照番号３１１は、ＭＢＭＳサービスを受信するＣＥＬＬ＿ＤＣＨ  ＵＥを示し、参照番号３２１は、上記ＵＥ３１１を制御するＳＲＮＣを示す。上記ＭＢＭＳサービスが開始する前に、上記ＵＥ３１１は周波数ｆ１のセルに位置している。
【００１３】
上記図３を参照すると、ＲＮＣ３２１は、ＳＧＳＮ（Ｓｅｒｖｉｎｇ  ＧＰＲＳ  Ｓｕｐｐｏｒｔ  Ｎｏｄｅ）（図示せず）からＵＥ３１１の参加したＭＢＭＳサービス（サービスＡ）に関するセッション開始メッセージを受信し、ステップ１の専用通知メッセージを通じてＵＥ３１１に上記ＭＢＭＳサービスのＩＤ「Ａ」、上記サービスＡの好みの周波数「ｆ２」、ＭＢＭＳオフセット、セッションＩＤ情報を送る。これは、上記周波数ｆ２（３０２）の以外の周波数に位置しているＵＥのうち、上記サービスＡを受信しようとするＵＥを上記周波数ｆ２（３０２）に移動させるためである。
【００１４】
この後、上記ＵＥ３１１が上記専用通知メッセージを受信したとき、ステップ２において、周波数ｆ１（３０１）を好みの周波数帯域とする他のサービス（サービスＢ）を受信中であった場合、上記ＵＥ３１１は、現在受信中のサービスＢと開始するサービスＡを同時に受信することができない。これは、サービスＡとサービスＢの好みの周波数帯域が異なるためである。このため、ＵＥ３１１は、ステップ３において、サービスＡとサービスＢのうちプライオリティの高いサービスを選択する。上記サービス選択過程は、上記ＵＥとユーザーまたはアプリケーションとの相互情報交換を通じて行われうる。
【００１５】
ところが、ＳＲＮＣ３２１は、上記サービス選択過程の結果を知らない状態である。このため、もし、上記ＵＥ３１１がサービスＢを選択したとしても、上記ＳＲＮＣ３２１は、上記ＵＥ３１１がサービスＢを選択したことを認知できていないまま、ステップ４において、上記ＵＥ３１１のサービスＡの受信のための周波数ｆ２（３０２）へのハードハンドオーバーを決定してしまう。上記ステップ４において、ハードハンドオーバーを決定すると、ステップ５において、上記ＳＲＮＣ３２１は、物理チャンネル再構成メッセージを通じて上記ＵＥ３１１にハードハンドオーバーを指示する。上記ＵＥ３１１は、ハードハンドオーバーがサービスＡの受信のために周波数を移動させるものであることを知っていないため、周波数ｆ２（３０２）へのハードハンドオーバーを行うことになり、結果として、上記ＵＥ３１１は、所望のサービスＢを受信できなくなるという不都合が発生する。
【００１６】
上述のように動作する従来の技術によるＦＬＣ方法は、ＣＥＬＬ＿ＤＣＨ  ＵＥをＭＢＭＳサービスの受信のための当該ＰＬに移動させるとき、ＳＲＮＣが上記ＵＥの上記サービスの受信有無に関する情報を正確に知っていないため、誤ったハードハンドオーバーを行う場合がある。または、ＣＥＬＬ＿ＤＣＨ  ＵＥが、ＳＲＮＣから受信するハードハンドオーバー指示メッセージである物理チャンネル再構成メッセージが特定のＭＢＭＳサービスのＰＬ移動のためのものであるか、または、測定結果とセルの負荷制御によるものであるかが区別できず、上記ＵＥが誤ったハードハンドオーバーを行ってしまうという問題点があった。
【発明の開示】
【発明が解決しようとする課題】
【００１７】
本発明は、上記の従来の技術の問題点を解消するためになされたものであり、その目的は、ＭＢＭＳサービスを受信するＣＥＬＬ＿ＤＣＨ  ＵＥにＦＬＣを適用するときにおける、効率よいハードハンドオーバー方法及び装置を提供することである。
【００１８】
本発明は、ＳＲＮＣが特定のＭＢＭＳサービスのセッション開始メッセージをＳＧＳＮから受信した後、上記ＵＥのＭＢＭＳサービスの受信のためにハードハンドオーバーを行う前に、上記ＵＥから上記サービス受信に関する確認メッセージを受信できるようにする方法及び装置を提供することである。
【００１９】
また、本発明は、ＳＲＮＣが特定のＭＢＭＳサービスのセッション開始メッセージをＳＧＳＮから受信した後、上記ＵＥのＭＢＭＳサービスの受信のためにハードハンドオーバーを行うとき、ＭＢＭＳサービスの受信のためのハードハンドオーバーであることを上記ＵＥに知らせる方法及び装置を提供することである。
【００２０】
さらに、本発明は、ＵＥがＭＢＭＳサービスの受信有無の決定によってＳＲＮＣのハードハンドオーバーを拒否できるようにする方法及び装置を提供することである。
【００２１】
さらに、本発明は、ＵＥをハードハンドオーバーするためにＳＲＮＣが上記ＵＥから送られる測定報告とセルの負荷制御情報だけでなく、上記ＵＥが受信したいＭＢＭＳサービスのＰＬ情報を参照する方法及び装置を提供することである。
【課題を解決するための手段】
【００２２】
上記目的を達成するために、本発明の好適な第１の実施の形態によれば、マルチメディアブロードキャスト／マルチキャスト（ＭＢＭＳ）サービスを提供するシステムにおいて、端末（ＵＥ）が少なくとも１つ以上の好みの周波数を通じて少なくとも１つ以上のサービスを受信したいときに効率よく周波数移動を行う方法であって、サービスの好みの周波数に関する情報をメッセージに載せて上記ＵＥに送るステップと、上記ＵＥにより選択された通知されたサービスまたは少なくとも１つの他のサービスを示す要請情報を含む応答メッセージを受信するステップと、上記ＵＥが上記要請情報に基づいて上記好みの周波数へのハードハンドオーバーを行うかどうかを決定するステップと、を含む方法が提供される。
【００２３】
上記目的を達成するために、本発明の他の好適な実施の形態によれば、マルチメディアブロードキャスト／マルチキャストサービスシステムにおいて、周波数階層収束（ＦＬＣ）を用いる端末（ＵＥ）がハードハンドオーバーを行う方法であって、無線網制御器（ＲＮＣ）から特定のサービスに関するセッションが開始している旨を知らせる専用通知メッセージを受信するステップと、上記専用通知メッセージがＵＥの参加したサービスのセッションを示す場合、上記専用通知メッセージにより通知されたサービスを受信するかどうかを決定するステップと、上記通知されたサービスを受信するかどうかを示す有効性指示情報を含む専用通知応答メッセージを上記ＲＮＣに送るステップと、を含む方法が提供される。
【００２４】
上記目的を達成するために、本発明のさらに他の好適な実施の形態によれば、マルチメディアブロードキャスト／マルチキャストサービスを提供するシステムにおいて、ＵＥが少なくとも１本以上の好みの周波数を通じて少なくとも１つ以上のサービスを受信したいときに効率よく周波数移動を行う方法であって、サービスの好みの周波数に関する情報を専用通知メッセージに載せて上記ＵＥに送るステップと、上記好みの周波数へのハードハンドオーバーの遂行に関する指示情報を含む物理チャンネル再構成メッセージを上記ＵＥに送るステップと、上記ＵＥから上記好みの周波数へのハードハンドオーバーを行うかどうかを示す情報を含む物理チャンネル再構成応答メッセージを受信するステップと、を含む方法が提供される。
【００２５】
また、本発明の一実施形態によれば、上記サービスは上記専用通知メッセージにより指示され、上記専用通知メッセージは上記ＵＥの参加した上記サービスの開始を示す。上記目的を達成するために、本発明のさらに他の好適な実施の形態によれば、マルチメディアブロードキャスト／マルチキャスト（ＭＢＭＳ）サービスシステムにおいて、周波数階層収束（ＦＬＣ）を用いる端末（ＵＥ）がハードハンドオーバーを行う方法であって、無線網制御器（ＲＮＣ）から特定のサービスに関するセッションが開始している旨を知らせる情報を受信し、上記サービスに関する好みの周波数への移動を示す情報を含む物理チャンネル再構成メッセージを受信するステップと、上記物理チャンネル再構成メッセージが上記ＵＥの参加したサービスを示す場合、上記物理チャンネル再構成メッセージにより通知されたサービスを受信するかどうかを決定するステップと、上記決定の結果に基づいて、上記ＵＥが上記好みの周波数へのハードハンドオーバーを行うかどうかを示すサービス適用可能または不可情報を含む物理チャンネル再構成応答メッセージを上記ＲＮＣに送るステップと、を含む方法が提供される。
【００２６】
上記目的を達成するために、本発明のさらに他の好適な実施の形態によれば、マルチメディアブロードキャスト／マルチキャストサービス（ＭＢＭＳ）システムにおいて、周波数階層収束（ＦＬＣ）を用いるＵＥ（ＵＥ）がハードハンドオーバーを行う装置であって、専用通知メッセージにサービスの好みの周波数に関する情報を載せて上記ＵＥに送る無線網制御器（ＲＮＣ）と、上記ＲＮＣから上記専用通知メッセージを受信し、上記専用通知メッセージに応答して予め定められたプライオリティに基づいて選択された上記専用通知メッセージにより通知されたサービスもしくは少なくとも１つの他のサービスを示す要請情報を含む専用通知応答メッセージを上記ＲＮＣに送る上記ＵＥと、を備え、上記ＲＮＣは、上記要請情報に基づいて上記ＵＥが上記好みの周波数へのハードハンドオーバーを行うかどうかを決定することを特徴とする装置が提供される。
【００２７】
また、本発明の一実施の形態によれば、上記サービスは上記専用通知メッセージにより指示され、上記専用通知メッセージは上記ＵＥの参加した上記サービスの開始を示す。
【発明の効果】
【００２８】
本発明は、ＣＥＬＬ＿ＤＣＨ  ＵＥをＭＢＭＳサービス受信のためにハードハンドオーバーするように決定するとき、ＳＲＮＣが上記ＵＥのサービス受信有無に関する情報を通報されることにより、ＣＥＬＬ＿ＤＣＨ  ＵＥがＳＲＮＣから受信するハードハンドオーバー指示メッセージである物理チャンネル再構成メッセージが特定のＭＢＭＳサービスのＰＬ移動のためのものであるか、あるいは、既存の測定結果とセル負荷制御によるものであるかを区別できるようになり、精度良いハードハンドオーバーが可能になるという効果を奏する。
【発明を実施するための最良の形態】
【００２９】
以下、添付した図面に基づき、本発明に係る好適な実施の形態を詳細に説明する。本発明を説明するに当たって、関連する公知の機能あるいは構成についての詳細な説明が本発明の要旨を余計に曖昧にすると認められる場合、その詳細な説明を省く。そして、後述する用語は本発明における機能を考慮して定義されたものであって、これは、ユーザー、運用者の意図または慣例などによって変わりうる。よって、その定義はこの明細書の全般に亘っての内容を基に行われるべきである。
【００３０】
図４は、本発明の好適な第１の実施の形態によるＣＥＬＬ＿ＤＣＨ  ＵＥのＦＬＣ適用を考慮したハードハンドオーバーの過程を示す図である。参照番号４０１は、周波数ｆ１のセルにあるＣＥＬＬ＿ＤＣＨ  ＵＥを示し、参照番号４０２は、同じサービス地域において重なり合っている周波数ｆ２のセルを示す。また、参照番号４０３は、上記ＵＥ４０１を制御するＳＲＮＣを示す。
【００３１】
ステップＳ４１１において、ＳＲＮＣ４０３は、ＳＧＳＮ（図示せず）からＵＥ４０１の参加したＭＢＭＳサービスに関するセッション開始メッセージを受信する。上記セッション開始メッセージは、上記ＭＢＭＳサービスのセッションが開始する旨を示すメッセージであり、サービスＩＤ、セッションＩＤ、ＱｏＳ（Ｑｕａｌｉｔｙ  ｏｆ  Ｓｅｒｖｉｃｅ）情報などを含む。ステップＳ４１２において、上記ＵＥ４０１のＣＲＮＣ（Ｃｏｎｔｒｏｌ  ＲＮＣ）（図示せず）がＲＲＭ（Ｒａｄｉｏ  Ｒｅｓｏｕｒｃｅ  Ｍａｎａｇｅｍｅｎｔ）により上記ＭＢＭＳサービスのＰＬを決定し、ＳＲＮＣ４０３が上記ＣＲＮＣからＰＬに関する情報を受信する。上記ＣＲＮＣは、ＳＲＮＣ４０３と同一または異種のＲＮＣであってもよい。上記ＰＬに関する情報としては、サービスＩＤ、セッションＩＤ、好みの周波数／セル情報、ＭＢＭＳオフセット情報などがある。
【００３２】
上記ＭＢＭＳサービスのＰＬが周波数ｆ２のセル４０２として決定されると、ステップＳ４２１において、ＳＲＮＣ４０３は、専用通知メッセージを通じてＵＥ４０１に上記ＭＢＭＳサービスのセッションが開始される予定であり、上記ＭＢＭＳサービスのＰＬが周波数ｆ２のセル４０２として決定された旨を知らせる。上記専用通知メッセージは、上記サービスのセッションが開始した旨を知らせ、もし、ＦＬＣのための情報が必要であれば、ＦＬＣを行うための周波数／セル情報、ＭＢＭＳオフセット情報などが含まれうる。上記サービスに参加したＣＥＬＬ＿ＤＣＨ  ＵＥに上記サービスのセッションが開始した旨を知らせるための上記専用通知メッセージは、上記ＭＢＭＳサービスに関するサービスＩＤ、セッションＩＤ、周波数／セル、ＭＢＭＳオフセット情報を含む。
【００３３】
ここで、上記周波数／セル情報は、例えば、周波数間測定指示、セルＩＤなどを示し、上記測定結果は、例えば、ＣＰＩＣＨ（Ｃｏｍｍｏｎ  Ｐｉｌｏｔ  Ｃｈａｎｎｅｌ）Ｅｃ／Ｎｏ（ｃｈｉｐ  ｅｎｅｒｇｙ  ｐｅｒ  Ｗｈｉｔｅ  Ｎｏｉｓｅ）、ＲＳＣＰ（Ｒｅｃｅｉｖｅｄ  Ｓｉｇｎａｌ  Ｃｏｄｅ  Ｐｏｗｅｒ）などを示す。
【００３４】
上記専用通知メッセージを受信したＵＥ４０１は、ステップＳ４３１における専用通知応答メッセージを通じて上記専用通知メッセージに基づいて上記通知されたサービスを受信するかどうかに関する確認情報をＳＲＮＣ４０３に送る。上記専用通知応答メッセージは、上記専用通知メッセージに応答して送る要請情報を含むものであり、上記通知されたサービスが選択されたかどうかを示す情報と少なくとも１つの他のサービスを示す情報を含む。そして、ＵＥ４０１は、ステップＳ４３２において、測定報告メッセージを用いて周波数ｆ２のセル４０２に関する測定結果をＳＲＮＣ４０３に報告する。上記測定報告メッセージとしては、３ＧＰＰにおいて定義されているＣＥＬＬ＿ＤＣＨ  ＵＥの測定報告メッセージを用いる。上記図４中、ステップＳ４３１における専用通知応答メッセージの送信後に、ステップＳ４３２において、測定報告メッセージをＳＲＮＣ４０３に報告しているが、専用通知応答メッセージに測定報告結果を含めて送ることもできる。すなわち、上記ＵＥ４０１に通知されたサービスの受信有無確認情報を含む専用通知応答メッセージに周波数ｆ２のセル４０２に関する測定結果を含めてＳＲＮＣ４０３に送るのである。他の場合として、ＳＲＮＣ４０３は、ＵＥ４０１から最近受信した測定結果を用いて上記ＵＥ４０１のセル環境を判断する場合には、ステップＳ４３２を省略する。
【００３５】
下記表１は、上記専用通知応答メッセージのフォーマットを示す。
【００３６】
【表１】
2008512038.tif 000003
【００３７】
表１のサービスＩＤは、専用通知メッセージを通じて通知されたサービスのＴＭＧＩ（Ｔｅｍｐｏｒａｒｙ  Ｍｏｂｉｌｅ  Ｇｒｏｕｐ  Ｉｄｅｎｔｉｔｙ）値となり、有効性指示情報は、上記サービスに関するＵＥの受信有無に関する確認値である。上記有効性指示情報が真であれば、上記サービスを受信するという意味であり、偽であれば、上記サービスを受信しない意味である。原因値は、上記有効性指示情報が偽であるときに限って含まれる値であり、上記ＵＥが上記サービスを受信しないことを決定した旨を示す値に設定される。
【００３８】
上記原因値は、上記専用通知メッセージのサービスが上記ＵＥの参加したサービスでないときに用いられる無効サービスＩＤ、上記専用通知メッセージのサービスが上記ＵＥの参加したサービスであるとしても、上記専用通知メッセージのセッションＩＤが既に上記ＵＥが受信したセッションであるときに用いられる重複セッション、上記専用通知メッセージのサービスが上記ＵＥの参加したサービスであり、セッションＩＤが上記ＵＥで既に受信されたセッションに係るものでないとしても、上記ＵＥが他のサービスを受信中であり、サービス選択過程を通じて上記専用通知メッセージのサービスが選択されていないときに用いられる選択除外などの値を含む。他の有効サービス一覧は、ＵＥのサービス選択過程を通じて上記表１の上記専用通知メッセージのサービスＩＤに相当するサービスを除く選択された他のサービスのＩＤを知らせる。すなわち、上記他の有効サービス一覧は、ＵＥの予め設定された高いプライオリティに基づいて選択されたサービスを示しているサービスＩＤを含んでいる。ＳＲＮＣ４０３は、ステップＳ４４１において、上記専用通知応答メッセージによる上記サービスの受信有無確認情報、測定結果、セル負荷情報に基づいて、上記ＵＥ４０１のハードハンドオーバー有無を決定する。もし、上記ＵＥ４０１から受信した受信有無確認情報が真であれば、すなわち、上記ＵＥ４０１が上記専用通知メッセージにより通知されたサービスを選択したと確認されると、ＳＲＮＣ４０３は、できる限り上記ＵＥ４０１を上記通知されたＭＢＭＳサービスのＰＬである周波数ｆ２のセル４０２にハードハンドオーバーするように上記ＵＥ４０１の移動性を決定する。上記ステップＳ４４１において、上記ＵＥ４０１のハードハンドオーバーが決定されたとき、ステップＳ４５１．ａにおいて、ＳＲＮＣ４０３は、ＵＥ４０１にハードハンドオーバーを指示する物理チャンネル再構成メッセージを送る。
【００３９】
これに対し、上記ＵＥ４０１から受信した受信有無確認情報が偽であれば、すなわち、上記ＵＥ４０１が上記通知されたサービスを選択することなく、他の有効サービス一覧に予め設定された高いプライオリティに基づいて選択した他のサービスＩＤを記載されていると確認されると、ステップＳ４５１．ｂにおいて、ＳＲＮＣ４０３は、できる限り上記ＵＥ４０１がハードハンドオーバーを行うことなく、現在セルにそのまま留まるように上記ＵＥ４０１の移動性を決定する。
【００４０】
上記専用通知応答メッセージは、上記図４において述べたように、上記サービス受信有無確認情報を明示的に含めて常に伝送することもできるが、他の実施の形態として、上記専用通知応答メッセージは、ＵＥ４０１が上記通知されたサービスを受信する場合に限ってのみ、または、受信しない場合に限ってのみ伝送可能である。この場合、ＳＲＮＣ４０３は、上記専用通知応答メッセージが受信された場合、または受信されていない場合に、上記ＵＥ４０１が上記通知されたサービスを受信すると判断する。
【００４１】
図５は、本発明の好適な第１の実施の形態によるＳＲＮＣの動作を示すフローチャートである。
【００４２】
ステップＳ５０１において、ＳＲＮＣは、ＳＧＳＮから特定のＭＢＭＳサービスのセッション開始を受信する。ステップＳ５０２において、ＳＲＮＣは、ＣＲＮＣから上記サービスのセッションに関するＰＬ情報を受信する。上記ＰＬ情報は、サービスＩＤ、ＰＬの周波数／セル情報、ＭＢＭＳオフセットを含む。ステップＳ５０３において、ＳＲＮＣは、上記セッション開始に相当するサービスに参加したＣＥＬＬ＿ＤＣＨ  ＵＥを選別する。上記ステップＳ５０３は、上記ＵＥが上記サービスに参加するときにＳＲＮＣに記憶されるサービスＩＤと上記ＵＥのＲＲＣ状態情報を参照して行う。もし、上記ステップＳ５０３において、上記サービスに参加したＣＥＬＬ＿ＤＣＨ  ＵＥが存在しない場合、ステップＳ５２１において、ＳＲＮＣは、上記ＭＢＭＳサービスのための専用通知メッセージを伝送しない。
【００４３】
もし、上記サービスに参加したＣＥＬＬ＿ＤＣＨ  ＵＥが存在すると、ステップＳ５１１において、ＳＲＮＣは、上記ＵＥのために伝送すべき専用通知メッセージに、上記サービスＩＤと上記セッションＩＤを設定し、上記ＰＬ情報の周波数／セル情報とＭＢＭＳオフセット情報などを設定する。ステップＳ５１２においては、上記専用通知メッセージが専用チャンネル（Ｄｅｄｉｃａｔｅｄ  Ｃｈａｎｎｅｌ、以下、「ＤＣＣＨ」と称する。）を介してＭＢＭＳサービスに参加したＣＥＬＬ＿ＤＣＨ  ＵＥに送られる。ステップＳ５１３において、ＳＲＮＣは、上記専用通知メッセージに関するＵＥからの応答メッセージ、すなわち、専用通知応答メッセージを受信する。
【００４４】
ステップＳ５１４において、ＳＲＮＣは、上記専用通知応答メッセージのサービスＩＤの有効性指示情報の真偽を判断する。上記専用通知応答メッセージのサービスＩＤの有効性指示情報が偽であるか、または、他の有効サービス一覧にＵＥにおいて高いプライオリティに基づいて選択した他のサービスＩＤが存在すると、ＳＲＮＣは、ステップＳ５４１へ進み、上記ＵＥが上記ＭＢＭＳサービスのためのハードハンドオーバーを行う必要なく、できる限り現在セルに留まるように決定する。これに対し、上記専用通知メッセージのサービスＩＤの有効性指示情報が真であれば、ＳＲＮＣは、ステップＳ５３１へ進み、上記ＵＥができる限り上記サービスのＰＬへのハードハンドオーバーを行えるように決定する。これは、上記サービスのＰＬにＵＥを移動させて上記サービスを受信可能にするためである。
【００４５】
図６は、本発明の好適な第１の実施の形態によるＵＥの動作を示すフローチャートである。
【００４６】
ステップＳ６０１において、ＵＥは、ＤＣＣＨを介してＳＲＮＣから専用通知メッセージを受信する。ステップＳ６０２において、ＵＥは、上記専用通知メッセージのサービスＩＤが上記ＵＥの参加したＭＢＭＳサービスに相当するかどうかをチェックする。もし、上記専用通知メッセージのサービスＩＤが上記ＵＥの参加したＭＢＭＳサービスに相当しない場合、ステップＳ６０３において、ＵＥは、専用通知応答メッセージに含まれるサービスＩＤを、上記専用通知メッセージのサービスＩＤに設定し、上記専用通知応答メッセージの有効性指示情報を偽に設定し、原因値を無効サービスＩＤに設定した後、ステップＳ６５１へ進んで、ＳＲＮＣに上記専用通知応答メッセージをＤＣＣＨを介して送る。この場合には、上記専用通知メッセージを通じて受け取ったサービスＩＤが上記ＵＥの参加したサービスでないため、ハードハンドオーバーすることが不要である旨をＳＲＮＣに知らせるためのものである。
【００４７】
これに対し、上記専用通知メッセージのサービスＩＤが上記ＵＥの参加したＭＢＭＳサービスに相当するものであれば、ステップＳ６０４において、上記ＵＥは、上記専用通知メッセージのセッションＩＤがＵＥが受信したいセッションであるかどうかを確認する。もし、上記専用通知メッセージのセッションＩＤがＵＥにおいて既に成功的に受信したセッションであれば、ステップＳ６０５へ進んで、上記ＵＥは、専用通知応答メッセージに含まれるサービスＩＤを上記専用通知メッセージのサービスＩＤに設定し、有効性指示情報を偽に設定し、原因値を重複セッションに設定した後、上記ステップＳ６５１へ進んで、ＳＲＮＣに上記専用通知応答メッセージをＤＣＣＨを介して送る。この場合には、上記専用通知メッセージを通じて受け取ったサービスは、上記ＵＥの参加したものであるが、上記セッションは、既に受信したものであるか、または、他の理由により受信しない旨をＳＲＮＣに知らせるものである。
【００４８】
上記ステップＳ６０４において、上記ＵＥが上記セッションを受信するように決定すると、ステップＳ６１１へ進んで、上記ＵＥが上記専用通知メッセージを通じて通知されたものでない他のサービスを現在の周波数／セルにおいて受信中であるかどうかをチェックする。もし、上記ＵＥが他のサービスを現在の周波数／セルにおいて受信中でなければ、ステップＳ６２１へ進んで、上記ＵＥは、専用通知応答メッセージに含まれるサービスＩＤを上記専用通知メッセージのサービスＩＤに設定し、有効性指示情報を真に設定した後、ステップＳ６５１へ進んで、ＳＲＮＣに上記専用通知応答メッセージをＤＣＣＨを介して送る。この場合には、上記専用通知メッセージを通じて受け取ったサービスのセッションをＵＥが受信するため、上記サービスのＰＬにハードハンドオーバーを必要に応じて行うことをＳＲＮＣに要請するためのものである。
【００４９】
しかしながら、上記ステップＳ６１１において、上記ＵＥが他のサービスを受信中であった場合、ステップＳ６３１へ進んで、上記ＵＥが上記他のサービスと上記専用通知メッセージのサービスを両方とも受信可能であるかをチェックする。これは、ＵＥの性能に関する問題であり、例えば、上記ＵＥがマルチ受信アンテナを有している場合、上記他のサービスを現在の周波数／セルにおいて受信しながら、上記通知されたサービスを他の周波数／セルにおいて受信することができる。ＵＥの性能は、上記例のように、マルチ受信アンテナの有無に関するものだけでなく、同時に受信可能なチャンネルの数などを含み、上記ＵＥは、上記ＵＥそのものの性能情報に基づいて上記サービスをいずれも受信可能であるか、または受信不可であるかをチェックする。
【００５０】
上記ステップＳ６３１において、上記ＵＥが全てのサービスを受信できる場合、ステップＳ６４３へ進んで、上記ＵＥは、専用チャンネル応答メッセージに含まれるサービスＩＤを上記専用通知メッセージのサービスＩＤに設定し、有効性指示情報を真に設定し、有効サービス一覧において上記通知されたサービスを除く他のサービスのサービスＩＤを設定した後、ステップＳ６５１へ進んで、ＳＲＮＣに上記専用通知応答メッセージをＤＣＣＨを介して送る。この場合には、上記通知されたサービスをＵＥが受信するはずなので、必要に応じて上記サービスのＰＬへのハードハンドオーバーを行うようＳＲＮＣに要請すると共に、上記ＵＥが受信を決定した他のサービスに関する一覧情報を提供するためのものである。
【００５１】
上記ステップＳ６３１において、上記ＵＥが全てのサービスを受信できない場合、ステップＳ６４１へ進んで、上記ＵＥは、サービス選択過程を行う。上記サービス選択過程は、上記ＵＥを用いるユーザーまたはアプリケーションとの情報交換を通じて行われ、ユーザーの意図またはアプリケーションにより割り当てられるサービスのプライオリティに応じて選択される。通常、最も高いプライオリティのサービスが選択され、もし、ＵＥが上記最も高いプライオリティのサービスと共に一部の他のサービスを受信できるならば、上記一部の他のサービスが一緒に選択されることもある。
【００５２】
この後、ステップＳ６４２において、上記ＵＥは、上記サービス選択過程を通じて上記通知されたサービスが選択されたかどうかをチェックする。もし、上記通知されたサービスが選択されていない場合、ステップＳ６４４において、上記ＵＥは、専用通知応答メッセージに含まれるサービスＩＤを上記専用通知メッセージのサービスＩＤに設定し、有効性指示情報を偽に設定し、原因値を選択除外に設定し、有効サービス一覧に上記選択された他のサービスのサービスＩＤを設定した後、上記ステップＳ６５１へ進んで、ＳＲＮＣに上記専用通知応答メッセージをＤＣＣＨを介して送る。この場合は、上記専用通知メッセージを通じて通知されたサービスは、受信中であった他のサービスにより選択されなかったため受信しないはずであり、上記ＵＥが受信することに決定した他のサービスをＳＲＮＣに知らせるためのものである。
【００５３】
もし、上記ステップＳ６４２において、上記通知されたサービスが選択されると、ステップＳ６４３において、上記ＵＥは、専用通知応答メッセージに含まれるサービスＩＤを上記通知されたサービスＩＤに設定し、有効性指示情報を真に設定し、他の有効サービス一覧に上記ステップＳ６４１において選択された他のサービスのサービスＩＤを設定した後、ステップＳ６５１へ進んで、ＳＲＮＣに上記専用通知応答メッセージをＤＣＣＨを介して送る。この場合は、上記通知されたサービスが受信中であった他の一部のサービスと一緒に選択されたため、必要に応じてハードハンドオーバーを行うようＳＲＮＣに要請し、上記ＵＥが受信を決定した他のサービスに関する一覧情報をＳＲＮＣに知らせるためである。
【００５４】
図７は、本発明の好適な第２の実施の形態によるＣＥＬＬ＿ＤＣＨ  ＵＥのＭＢＭＳ  ＦＬＣの適用を考慮したハードハンドオーバーの過程を示す図である。参照番号７０１は、周波数ｆ１のセルにあるＣＥＬＬ＿ＤＣＨ  ＵＥを示し、参照番号７０２は、同じサービス地域において重なり合っている周波数ｆ２のセルを示し、参照番号７０３は、上記ＵＥ７０１のＳＲＮＣを示す。
【００５５】
ステップＳ７１１において、ＳＲＮＣ７０３は、ＳＧＳＮ（図示せず）からＵＥ７０１の参加した特定のＭＢＭＳサービスに関するセッション開始メッセージを受信する。上記セッション開始メッセージは、上記サービスのセッションが開始される旨を示すメッセージであり、サービスＩＤ、セッションＩＤ、ＱｏＳ情報などを含む。ステップＳ７１２において、ＵＥ７０１のＣＲＮＣがＲＲＭにより上記サービスのＰＬを決定すると、ＳＲＮＣ７０３は、上記ＣＲＮＣからＰＬに関する情報を受信する。上記ＣＲＮＣは、ＳＲＮＣ７０３と同一または異種のＲＮＣであってもよい。上記ＰＬ情報としては、サービスＩＤ、セッションＩＤ、好みの周波数／セル情報、ＭＢＭＳオフセット情報などがある。
【００５６】
もし、上記サービスのＰＬが周波数ｆ２のセル７０２に決定された場合、ステップＳ７２１において、ＳＲＮＣ７０３は、専用通知メッセージを通じてＵＥ７０１に上記サービスのセッションが開始される予定であり、上記サービスのＰＬが決定された旨を知らせる。上記専用通知メッセージは、上記サービスＩＤ、セッションＩＤ、７０２の周波数／セル、ＭＢＭＳオフセット情報を含む。上記図４の第１の実施の形態においては、上記専用通知メッセージが必須として使用される必要があったが、上記図７の第２の実施の形態においては、上記専用通知メッセージが省かれても良い。ステップＳ７４１における物理チャンネル再構成メッセージが上記専用通知メッセージに代わりうるためである。
【００５７】
ステップＳ７３１において、ＳＲＮＣ７０３は、上記通知されたサービスのＰＬ情報、測定結果、セル負荷情報に基づいて、ＵＥ７０１をできる限り上記通知されたサービスのＰＬである周波数ｆ２のセル７０２へのハードハンドオーバーを行うように決定する。もし、ＵＥ７０１を周波数ｆ２のセル７０２へのハードハンドオーバーを行うように決定すると、ステップＳ７４１において、ＳＲＮＣ７０３は、物理チャンネル再構成メッセージをＵＥに送ってハードハンドオーバーを指示する。上記物理チャンネル再構成メッセージは、原因値とサービスＩＤ及びセッション識別子などの情報を含む。ここで、上記原因値は、ＭＢＭＳ  ＰＬへの移動を示す値に設定され、サービス識別子とセッション識別子は上記通知されたサービスのサービスＩＤ値とセッションＩＤ値に設定される。すなわち、上記第２の実施の形態は、ハードハンドオーバーを指示する上記物理チャンネル再構成メッセージに上記ＭＢＭＳ  ＰＬ移動を示す原因値とサービスＩＤとセッションＩＤを設定することにより、ＵＥ７０１に対して、上記ハードハンドオーバーが、セッションが開始されるＭＢＭＳサービスの受信のためにＰＬへ移動させるべく行われることを知らせる。
【００５８】
上記ＵＥ７０１は、上記物理チャンネル再構成メッセージを受信すると、ステップＳ７５１．ａまたはステップＳ７５１．ｂにおいて、上記物理チャンネル再構成メッセージに関する応答である物理チャンネル再構成失敗または完了メッセージをＳＲＮＣ７０３に送る。上記ステップＳ７５１．ａにおける物理チャンネル再構成失敗メッセージは、上記ＵＥ７０１が上記物理チャンネル再構成メッセージを受信したときに既に他のサービスを受信中であり、上記物理チャンネル再構成メッセージに含まれているサービスＩＤ、セッションＩＤ、ＭＢＭＳＰＬ移動情報を読み取った結果、上記通知されたサービスを選択しなかったときに送られる。また、上記物理チャンネル再構成失敗メッセージは、上記サービスのセッションを既に成功的に行い、上記セッションに対して再受信が不要となった場合にも送られる。すなわち、上記ＵＥ７０１は、上記通知されたサービスの受信のためのハードハンドオーバーを行う必要がない場合に、上記物理チャンネル再構成失敗メッセージを送る。これは、上記通知されたサービスが上記ＵＥ７０１において選択されていない旨を知らせるものである。
【００５９】
上記物理チャンネル再構成失敗メッセージは、サービス適用不可を示す原因値を含み、上記通知されたサービスを除き、上記ＵＥ７０１が受信することに決定した他のサービスのサービスＩＤを含む有効サービス一覧を有する。すなわち、ＵＥ７０１は、上記物理チャンネル再構成失敗メッセージを通じて、ＳＲＮＣ７０３に上記通知されたサービスの受信が不要であるため、ハードハンドオーバーを拒否する共に、上記ＵＥ７０１が受信することに決定した他のサービスに関する一覧情報をも提供する。
【００６０】
上記ステップＳ７５１．ｂにおける物理チャンネル再構成完了メッセージは、上記ＵＥ７０１が上記通知されたサービスを受信することに決定した場合に送られる。例えば、ＵＥ７０１が上記通知されたサービスとセッションＩＤを読み取って受信するように直ちに決定したか、または、上記物理チャンネル再構成メッセージを受信したときに他のサービスを既に受信中であって、サービス選択過程を行って上記物理チャンネル再構成メッセージを通じて通知されたサービスを選択したとき、上記ＵＥ７０１は、上記物理チャンネル再構成完了メッセージを送る。これは、上記通知されたサービスがＵＥ７０１において選択されたため、ハードハンドオーバーを受諾した旨を知らせるためである。
【００６１】
上記物理チャンネル再構成完了メッセージは、サービス適用可能を示す原因値を含み、上記物理チャンネル再構成メッセージにより通知されたメッセージを除き、上記ＵＥ７０１が受信することに決定した他のサービスのサービスＩＤを含む有効サービス一覧を有する。すなわち、上記物理チャンネル再構成完了メッセージを通じて、ＵＥ７０１は、ＳＲＮＣ７０３に上記通知されたサービスの受信が必要になったためハードハンドオーバーを行った旨を知らせると共に、ＵＥ７０１が受信することに決定した他のサービスに関する一覧情報をも提供する。
【００６２】
図８は、本発明の好適な第２の実施の形態によるＳＲＮＣの動作を示すフローチャートである。
【００６３】
ステップＳ８０１において、ＳＲＮＣは、ＳＧＳＮから特定のＭＢＭＳサービスに関するセッション開始メッセージを受信する。ステップＳ８０２において、ＳＲＮＣは、ＣＲＮＣから上記サービスのセッションに関するＰＬ情報を受信する。上記ＰＬ情報は、サービスＩＤ、ＰＬの周波数／セル情報、ＭＢＭＳオフセットを含む。ステップＳ８０３において、ＳＲＮＣは、上記セッション開始に相当するサービスに参加したＣＥＬＬ＿ＤＣＨ  ＵＥを選別する。上記ステップＳ８０３は、上記ＵＥが参加するときにＳＲＮＣに記憶されるサービスＩＤと上記ＵＥのＲＲＣ状態情報に基づいて行われる。もし、上記サービスに参加したＣＥＬＬ＿ＤＣＨ  ＵＥが存在しない場合、ＳＲＮＣは、ステップＳ８１１へ進み、専用通知メッセージを伝送しない。これに対し、上記サービスに参加したＣＥＬＬ＿ＤＣＨ  ＵＥが存在すると、ＳＲＮＣは、ステップＳ８１２へ進み、上記ＵＥのために伝送すべき専用通知メッセージに上記ＭＢＭＳサービスに関するサービスＩＤ及びセッションＩＤを設定し、上記サービスセッションのＰＬ情報である周波数／セル情報、ＭＢＭＳオフセット情報などを設定する。ステップＳ８１３においては、上記専用通知メッセージがＤＣＣＨを介して上記ＵＥに送られる。
【００６４】
ステップＳ８１４において、ＳＲＮＣは、できる限り上記ＵＥを上記サービスのＰＬにハードハンドオーバーを行うように決定する。ステップＳ８１５において、上記ＵＥの測定結果、セル負荷情報、上記サービスのＰＬ情報に基づいて上記ＵＥを上記サービスのＰＬにハードハンドオーバーするように決定した場合、ＳＲＮＣは、ステップＳ８２２へ進んで、物理チャンネル再構成メッセージを上記ＵＥに送る。このとき、上記物理チャンネル再構成メッセージは、ＭＢＭＳサービスのＰＬへの移動によりハードハンドオーバーが行われる旨を知らせるＭＢＭＳ  ＰＬ移動の原因値を含み、上記サービスＩＤとセッションＩＤをも含む。
【００６５】
上記物理チャンネル再構成メッセージを伝送した後、ＳＲＮＣは、ステップＳ８２３において、上記ＵＥの応答メッセージを受信する。もし、上記ステップＳ８２３において受信された応答メッセージが物理チャンネル再構成失敗メッセージであり、上記物理チャンネル再構成失敗メッセージがサービス適用不可の原因値と有効サービス一覧を有する場合、ＳＲＮＣは、ステップＳ８４１へ進んで、上記ＵＥのハードハンドオーバーを取り消し、できる限り上記ＵＥが現在セルにそのまま留まるように上記ＵＥの移動性を決定する。このとき、ＳＲＮＣは、上記有効性サービス一覧によりサービスコンテクストまたはＵＥコンテクストを更新することができる。
【００６６】
これに対し、上記ステップＳ８３１において受信された応答メッセージが物理チャンネル再構成完了メッセージであり、上記物理チャンネル再構成完了メッセージがサービス適用可能な原因値と有効サービス一覧を有する場合、ＳＲＮＣは、ステップＳ８３３へ進んで、上記ＵＥが上記サービスのＰＬへのハードハンドオーバーを完了したと見なす。同様に、ＳＲＮＣは、上記有効サービス一覧によりサービスコンテクストまたはＵＥコンテクストを更新することができる。
【００６７】
図９は、本発明の好適な第２の実施の形態によるＵＥの動作を示すフローチャートである。
【００６８】
ステップＳ９０１において、ＵＥは、ＭＢＭＳ  ＰＬ移動の原因値、サービスＩＤ、セッションＩＤを含む物理チャンネル再構成メッセージを受信する。ステップＳ９０２において、ＵＥは、上記物理チャンネル再構成メッセージのサービスＩＤが上記ＵＥの参加したＭＢＭＳサービスに相当するものであるかどうかをチェックする。もし、上記物理チャンネル再構成メッセージのサービスＩＤが上記ＵＥの参加したＭＢＭＳサービスに相当しない場合、ステップＳ９０３において、上記ＵＥは、物理チャンネル再構成失敗メッセージに含まれる原因値をサービス適用不可に設定した後、ステップＳ９５２に進み、ＳＲＮＣに上記物理チャンネル再構成失敗メッセージを送る。
【００６９】
これに対し、上記物理チャンネル再構成メッセージのサービスＩＤが上記ＵＥの参加したＭＢＭＳサービスに相当するものであれば、ステップＳ９０４において、上記ＵＥは、上記物理チャンネル再構成メッセージのセッションＩＤが上記ＵＥが受信したいものであるかどうかをチェックする。もし、上記物理チャンネル再構成メッセージのセッションＩＤが上記ＵＥが以前に既に成功的に受信していたセッションを示す場合、上記ＵＥは、繰り返し送られる上記セッションを受信する必要がないため、上記ステップＳ９０３において、上記ＵＥは、物理チャンネル再構成失敗メッセージに含まれる原因値をサービス適用不可に設定した後、ステップＳ９５２へ進んで、ＳＲＮＣに上記物理チャンネル再構成失敗メッセージを送る。上記ステップＳ９０４において、上記ＵＥが上記物理チャンネル再構成メッセージのセッションＩＤを有するセッションを受信することに決定すると、ステップＳ９１１において、上記ＵＥは、上記物理チャンネル再構成メッセージを受信したときに他のサービスを現在の周波数／セルにおいて受信しているかどうかをチェックする。上記ＵＥが他のサービスを現在の周波数／セルにおいて受信中でなかった場合、ステップＳ９２１において、上記ＵＥは、物理チャンネル再構成完了メッセージに含まれる原因値をサービス適用可能に設定した後、ステップＳ９５４へ進み、上記物理チャンネル再構成メッセージにより指示されたＰＬにハードハンドオーバーを行い、ＳＲＮＣに上記物理チャンネル再構成完了メッセージを送る。
【００７０】
これに対し、上記ＵＥが他のサービスを既に受信中であった場合、ステップＳ９３１において、上記ＵＥは、上記受信中の他のサービスと上記物理チャンネル再構成メッセージにより通知されたサービスを全て受信可能であるかどうかをチェックする。これは、ＵＥの性能に関する問題であって、例えば、上記ＵＥがマルチ受信アンテナを有しているかどうか、同時に受信可能なチャンネルの数などによるものである。上記ＵＥが上記サービスを全て受信できる場合、ステップＳ９５３において、上記ＵＥは、物理チャンネル再構成完了メッセージに含まれる原因値をサービス適用可能に設定し、有効サービス一覧に上記通知されたサービスを除く受信中であった他のサービスのサービスＩＤを設定した後、ステップＳ９５４へ進んで、上記通知されたＭＢＭＳサービスのＰＬへのハードハンドオーバーを行い、ＳＲＮＣに上記物理チャンネル再構成完了メッセージを送る。
【００７１】
これに対し、上記ＵＥが上記サービスを全て受信できない場合、ステップＳ９４１において、上記ＵＥは、サービス選択過程を行う。上記サービス選択過程は、ＵＥを用いるユーザーまたはアプリケーションとの情報交換を通じて決定可能であり、ユーザーの意図またはアプリケーションにより割り当てられるサービスのプライオリティによる。通常、最も高いプライオリティのサービスが選択され、もし、ＵＥが上記最も高いプライオリティのサービスと一緒に一部異なるサービスを受信できる場合であれば、上記一部異なるサービスも一緒に選択可能である。
【００７２】
ステップＳ９４２において、上記ＵＥは、上記サービス選択過程を通じて上記通知されたサービスが選択されたかどうかをチェックする。もし、上記通知されたサービスが選択されていない場合、ステップＳ９５１において、上記ＵＥは、物理チャンネル再構成失敗メッセージに含まれる原因値をサービス適用不可に設定し、有効サービス一覧に上記選択された他のサービスのサービスＩＤを設定した後、ステップＳ９５２へ進んで、ＳＲＮＣに上記物理チャンネル再構成失敗メッセージを送る。これに対し、上記通知されたサービスが選択されると、ステップＳ９５３において、上記ＵＥは、物理チャンネル再構成完了メッセージに含まれる原因値をサービス適用可能に設定し、有効サービス一覧に上記選択された他のサービスＩＤを設定した後、ステップＳ９５４へ進んで、上記通知されたＭＢＭＳサービスのＰＬにハードハンドオーバーを行い、ＳＲＮＣに上記物理チャンネル再構成完了メッセージを送る。
【００７３】
なお、本発明の詳細な説明においては、具体的な実施の形態について説明したが、本発明の趣旨及び範囲から逸脱しない範囲内であれば、種々な変形が可能であることは言うまでもない。よって、本発明の範囲は、上述した実施の形態に限定されるものではなく、特許請求の範囲とその均等物によって定められるべきである。
【図面の簡単な説明】
【００７４】
【図１】通常のＭＢＭＳ  ＦＬＣの一例を示す図である。
【図２】従来のＣＥＬＬ＿ＤＣＨ  ＵＥのハードハンドオーバーステップを示す図である。
【図３】従来のＣＥＬＬ＿ＤＣＨ  ＵＥにＦＬＣを適用する手続きを示す図である。
【図４】本発明の好適な第１の実施の形態によるＣＥＬＬ＿ＤＣＨ  ＵＥのＦＬＣ適用を考慮したハードハンドオーバーステップを示す図である。
【図５】本発明の好適な第１の実施の形態によるＳＲＮＣの動作を示す図である。
【図６】本発明の好適な第１の実施の形態によるＵＥの動作を示すフローチャートである。
【図７】本発明の好適な第２の実施の形態によるＣＥＬＬ＿ＤＣＨ  ＵＥのＭＢＭＳ  ＦＬＣ適用を考慮したハードハンドオーバーステップを示す図である。
【図８】本発明の好適な第２の実施の形態によるＳＲＮＣの動作を示すフローチャートである。
【図９】本発明の好適な第２の実施の形態によるＵＥの動作を示すフローチャートである。
【符号の説明】
【００７５】
１０１  周波数ｆ１よりなるレイヤー
１０２  周波数ｆ１よりなるレイヤー
１１１  周波数ｆ２よりなるレイヤー
１１２  周波数ｆ２よりなるレイヤー
１２１  ＵＥ
【図１】
2008512038.tif 000004
【図２】
2008512038.tif 000005
【図３】
2008512038.tif 000006
【図４】
2008512038.tif 000007
【図５】
2008512038.tif 000008
【図６】
2008512038.tif 000009
【図７】
2008512038.tif 000010
【図８】
2008512038.tif 000011
【図９】
2008512038.tif 000012
【国際調査報告】
2008512038.tif 000013
2008512038.tif 000014